【手続補正書】
【提出日】平成17年3月4日(2005.3.4)
【手続補正１】
【補正対象書類名】明細書
【補正対象項目名】全文
【補正方法】変更
【補正の内容】
【書類名】        明細書
【発明の名称】    結合押出形材、結合用押出形材および結合押出形材の製造方法
【特許請求の範囲】
【請求項１】上下２つの押出形材よりなり、上位の押出形材の下縁部に、上下壁および上下壁の左縁部同士をつなぐ左壁よりなる横断面略逆コ字形の嵌合凹部と嵌合凹部の下壁の右縁部から左斜め下方へ湾曲状に伸びる嵌合雄部が設けられ、下壁の上面にはピン孔形成用溝が設けられており、下位の押出形材の上縁部に、上位の押出形材の略逆コ字形嵌合凹部に嵌め入れられる左向き嵌合凸部が設けられ、嵌合凸部の下側における左側面には先端部が横断面略Ｃ形となされた張出し部が設けられ、略Ｃ形の先端部内側が嵌合雄部の先端部が嵌め入れられる嵌合雌部となされ、張出し部の基部上面から嵌合凸部の下側における左側面が嵌合雄部の右側面に対応する凹弧面となされており、左向き嵌合凸部の下面には上位の押出形材のピン孔形成用溝と相互に向かい合うピン孔形成用溝が形成されており、上位の押出形材の嵌合雄部を下位の押出形材の凹弧面に沿って回動させつつ、嵌合雄部の先端部を嵌合雌部に嵌め入れると共に、上位の押出形材の嵌合凹部と下位の押出形材の嵌合凸部を嵌め合せ、両押出形材の向かい合うピン孔形成用溝に結合ピンが圧入されて両押出形材が結合されている、結合押出形材。
【請求項２】上下２つの押出形材がアルミニウム製である請求項１記載の結合押出形材。
【請求項３】上下２つの押出形材が組となされ、上位の押出形材は、その下縁部に、上下壁および上下壁の左縁部同士をつなぐ左壁よりなる横断面略逆コ字形の嵌合凹部と嵌合凹部の下壁の右縁部から左斜め下方へ湾曲状に伸びる嵌合雄部が設けられ、下壁の上面にはピン孔形成用溝が設けられており、下位の押出形材は、その上縁部に、上位の押出形材の略逆コ字形嵌合凹部に嵌め入れられる左向き嵌合凸部が設けられ、嵌合凸部の下側における左側面には先端部が横断面略Ｃ形となされた張出し部が設けられ、略Ｃ形の先端部内側が嵌合雄部の先端部が嵌め入れられる嵌合雌部となされ、張出し部の基部上面から嵌合凸部の下側における左側面が嵌合雄部の右側面に対応する凹弧面となされており、左向き嵌合凸部の下面には上位の押出形材のピン孔形成用溝と相互に向かい合うピン孔形成用溝が形成されている、結合用押出形材。
【請求項４】下縁部に、上下壁および上下壁の左縁部同士をつなぐ左壁よりなる横断面略逆コ字形の嵌合凹部と嵌合凹部の下壁の右縁部から左斜め下方へ湾曲状に伸びる嵌合雄部が設けられ、下壁の上面にはピン孔形成用溝が設けられている上位の押出形材と、上縁部に、上位の押出形材の略逆コ字形嵌合凹部に嵌め入れられる左向き嵌合凸部が設けられ、嵌合凸部の下側における左側面には先端部が横断面略Ｃ形となされた張出し部が設けられ、略Ｃ形の先端部内側が嵌合雄部の先端部が嵌め入れられる嵌合雌部となされ、張出し部の基部上面から嵌合凸部の下側における左側面が嵌合雄部の右側面に対応する凹弧面となされており、左向き嵌合凸部の下面には上位の押出形材のピン孔形成用溝と相互に向かい合うピン孔形成用溝が形成されている下位の押出形材との２つの押出形材を用意し、上位の押出形材の嵌合雄部を下位の押出形材の凹弧面に沿って回動させつつ、嵌合雄部の先端部を嵌合雌部に嵌め入れると共に、上位の押出形材の嵌合凹部と下位の押出形材の嵌合凸部を嵌め合せ、両押出形材の向かい合うピン孔形成用溝に結合ピンを圧入して両押出形材を結合する、結合押出形材の製造方法。
【発明の詳細な説明】
【０００１】
【発明の属する技術分野】
本発明は、結合押出形材、結合用押出形材および結合押出形材の製造方法に関する。
【０００２】
【従来の技術】
従来の結合押出形材製パネルは、図３に示すように、上下に隣り合う２つのアルミニウム中空押出形材製パネル(41)(42)とこれらパネル(41)(42)の結合に用いられる結合ピン(43)とを備え、上位パネル(41)の下縁部中央に嵌合凹部(44)が設けられ、下位パネル(42)の上縁部中央には嵌合凸部(45)が設けられ、嵌合凹部(44)と嵌合凸部(45)とが嵌め合わされた状態における嵌合凹部(44)の両側内面とこれらに対向する嵌合凸部(45)の両側外面にそれぞれピン孔形成用溝(46a)(46b)が相互に向かい合って設けられており、上位パネル(41)の嵌合凹部(44)に下位パネル(42)の嵌合凸部(45)が嵌め入れられてピン孔(47)が形成され、ピン孔(47)に結合ピン(43)が圧入されて上位パネル(41)と下位パネル(42)とが結合され、下位パネル(42)の上縁部両側には突出壁(48)が設けられ、突出壁(48)と嵌合凸部(45)間が凹溝(49)となされ、凹溝(49)に上位パネル(41)の嵌合凹部(44)両側に設けられた凸条(51)が嵌め込まれ、更に凸条(51)の基部両側には略逆Ｖ形溝(52)が形成され、略逆Ｖ形溝(52)に下位パネル(42)の突出壁(48)先端が嵌め入れられているものであった。
【０００３】
【発明が解決しようとする課題】
しかしながら、上述のものでは、上位パネル(41)と下位パネル(42)の一方または両方に押出し方向の曲りがある場合、下位パネル(42)の突出壁(48)先端と上位パネル(41)の略逆Ｖ形溝(52)との間に目立った隙間(S) が生じ易い。この隙間(S) は結合されたパネル同士の外観を損ねると共に隙間(S) に異物が入るので好ましくない。
【０００４】
そのため、パネル(41)(42)同士の結合強度の面ではピン孔(47)の両端部だけに短い結合ピン(43)を圧入すれば良い場合でも、上記隙間(S) をなくすために、ピン孔(47)の長さと同じ長さの長尺の結合ピン(43)をピン孔(47)の全長にわたって圧入することを余儀無くされ、かかる長尺の結合ピン(43)の圧入は非常に困難な作業となることから、パネル(41)(42)同士の結合に多大な手間と時間を要するという問題があった。
【０００５】
本発明の目的は、押出形材に押出し方向の曲りがある場合でも、ピン孔の全長にわたって長尺の結合ピンを圧入することなく、押出形材の曲りを容易に矯正して押出形材間に目立った隙間が生じないようにした結合押出形材並びに結合用押出形材および結合押出形材の製造方法を提供することにある。
【０００６】
【課題を解決するための手段】
請求項１の発明による結合押出形材は、上位の押出形材の下縁部に、上下壁および上下壁の左縁部同士をつなぐ左壁よりなる横断面略逆コ字形の嵌合凹部と嵌合凹部の下壁の右縁部から左斜め下方へ湾曲状に伸びる嵌合雄部が設けられ、下壁の上面にはピン孔形成用溝が設けられており、下位の押出形材の上縁部に、上位の押出形材の略逆コ字形嵌合凹部に嵌め入れられる左向き嵌合凸部が設けられ、嵌合凸部の下側における左側面には先端部が横断面略Ｃ形となされた張出し部が設けられ、略Ｃ形の先端部内側が嵌合雄部の先端部が嵌め入れられる嵌合雌部となされ、張出し部の基部上面から嵌合凸部の下側における左側面が嵌合雄部の右側面に対応する凹弧面となされており、左向き嵌合凸部の下面には上位の押出形材のピン孔形成用溝と相互に向かい合うピン孔形成用溝が形成されており、上位の押出形材の嵌合雄部を下位の押出形材の凹弧面に沿って回動させつつ、嵌合雄部の先端部を嵌合雌部に嵌め入れると共に、上位の押出形材の嵌合凹部と下位の押出形材の嵌合凸部を嵌め合せ、両押出形材の向かい合うピン孔形成用溝に結合ピンが圧入されて両押出形材が結合されているものである。
【０００７】
請求項２の発明は、請求項１記載の結合押出形材において、上下２つの押出形材がアルミニウム製であるものである。
【０００８】
請求項３の発明による結合用押出形材は、上下２つの押出形材が組となされ、上位の押出形材は、その下縁部に、上下壁および上下壁の左縁部同士をつなぐ左壁よりなる横断面略逆コ字形の嵌合凹部と嵌合凹部の下壁の右縁部から左斜め下方へ湾曲状に伸びる嵌合雄部が設けられ、下壁の上面にはピン孔形成用溝が設けられており、下位の押出形材は、その上縁部に、上位の押出形材の略逆コ字形嵌合凹部に嵌め入れられる左向き嵌合凸部が設けられ、嵌合凸部の下側における左側面には先端部が横断面略Ｃ形となされた張出し部が設けられ、略Ｃ形の先端部内側が嵌合雄部の先端部が嵌め入れられる嵌合雌部となされ、張出し部の基部上面から嵌合凸部の下側における左側面が嵌合雄部の右側面に対応する凹弧面となされており、左向き嵌合凸部の下面には上位の押出形材のピン孔形成用溝と相互に向かい合うピン孔形成用溝が形成されているものである。
【０００９】
請求項４の発明による結合押出形材の製造方法は、下縁部に、上下壁および上下壁の左縁部同士をつなぐ左壁よりなる横断面略逆コ字形の嵌合凹部と嵌合凹部の下壁の右縁部から左斜め下方へ湾曲状に伸びる嵌合雄部が設けられ、下壁の上面にはピン孔形成用溝が設けられている上位の押出形材と、の上縁部に、上位の押出形材の略逆コ字形嵌合凹部に嵌め入れられる左向き嵌合凸部が設けられ、嵌合凸部の下側における左側面には先端部が横断面略Ｃ形となされた張出し部が設けられ、略Ｃ形の先端部内側が嵌合雄部の先端部が嵌め入れられる嵌合雌部となされ、張出し部の基部上面から嵌合凸部の下側における左側面が嵌合雄部の右側面に対応する凹弧面となされており、左向き嵌合凸部の下面には上位の押出形材のピン孔形成用溝と相互に向かい合うピン孔形成用溝が形成されている下位の押出形材との２つの押出形材を用意し、上位の押出形材の嵌合雄部を下位の押出形材 の凹弧面に沿って回動させつつ、嵌合雄部の先端部を嵌合雌部に嵌め入れると共に、上位の押出形材の嵌合凹部と下位の押出形材の嵌合凸部を嵌め合せ、両押出形材の向かい合うピン孔形成用溝に結合ピンを圧入して両押出形材を結合するものである。
【００１０】
【発明の実施の形態】
次に、本発明の実施形態を図面に従って説明する。なお、本明細書において、上下、左右は図１を基準とし、上とは図１の上側を、下とは同図の下側を指し、また左とは図１の左側を、右とは同図右側を指す。また、アルミニウムという語には純アルミニウムとアルミニウム合金の両方を含むものとする。
【００１１】
図１および図２において、上位のアルミニウム製押出形材(1) の下縁部に、上下壁(2)(3)および上下壁(2)(3)の左縁部同士をつなぐ左壁(4) よりなる横断面略逆コ字形の嵌合凹部(5) と嵌合凹部(5) の下壁(3) の右縁部から左斜め下方へ湾曲状に伸びる嵌合雄部(6) が設けられ、下壁(3) の上面にはピン孔形成用溝(7) が設けられており、下位のアルミニウム製押出形材(8) の上縁部に、上位の押出形材(1) の略逆コ字形嵌合凹部(5) に嵌め入れられる左向き嵌合凸部(9) が設けられ、嵌合凸部(9) の下側における左側面には先端部(11a) が横断面略Ｃ形となされた張出し部(11)が設けられ、略Ｃ形の先端部(11a) 内側が嵌合雄部(6) の先端部(6b)が嵌め入れられる嵌合雌部(12)となされ、張出し部(11)の基部(11b) 上面から嵌合凸部(9) の下側における左側面が嵌合雄部(6) の右側面(6a)に対応する凹弧面(13)となされており、左向き嵌合凸部(9) の下面には上位の押出形材(1) のピン孔形成用溝(7) と相互に向かい合うピン孔形成用溝(14)が形成されている。
【００１２】
そして、図２に示すように、上位の押出形材(1) の嵌合雄部(6) を下位の押出形材(8) の凹弧面(13)に当接させて、上位の押出形材(1) を矢印方向へ回動させつつ、その嵌合雄部(6) の先端部(6b)を嵌合雌部(12)に嵌め入れると共に、上位の押出形材(1) の嵌合凹部(5) と下位の押出形材(8) の嵌合凸部(9) を嵌め合せ、両押出形材(1) (8) の向かい合うピン孔形成用溝(7) (14)に結合ピン(15)が圧入されて両押出形材(1) (8)が結合されている。
【００１３】
上位の押出形材(1) の嵌合凹部(5) を構成する上壁(2) は、同押出形材(1) の下縁部における垂直壁(16)下縁から左斜め下方へ伸びた形状となされ、嵌合凹部(5) に嵌め入られる嵌合凸部(9) の上面(9a)もこれに対応した形状となされている。
【００１４】
下位の押出形材(8) の張出し部(11)の略Ｃ形先端部(11a) には上方突出部(11c) が形成されている。
【００１５】
そして、本実施形態の場合、両押出形材(1) (8) の相互に向かい合うピン孔形成用溝(7) (14)の全長ではなく、これらの両端部分だけにそれぞれ結合ピン(15)を圧入することにより、嵌合凸部(9) の上面(9a)と嵌合凹部(5) の上壁(2) の下面(2a)間に目立った隙間が生じない。
【００１６】
【発明の効果】
本発明によれば、上位の押出形材の嵌合雄部を下位の押出形材の凹弧面に沿って回動させつつ、嵌合雄部の先端部を嵌合雌部の凹所に嵌め入れる際に、これら押出形材に押出方向の曲りがある場合でも、これがある程度矯正されるため、上位の押出形材の嵌合凹部と下位の押出形材の嵌合凸部とを嵌め合せた際に、嵌合凸部の上面と嵌合凹部の上壁下面間に目立った隙間が生ぜず、また向かい合うピン孔形成用溝に圧入された結合ピンによって一旦、矯正された押出形材が弾性で元の状態に戻ったりせず、上述した両押出形材の結合状態が維持される。
【００１７】
従って、従来のように、結合される押出形材の曲りを矯正するために、常にピン孔の全長にわたって長尺な結合ピンを圧入する必要はなく、押出形材同士の結合強度の面でこれら押出形材の両端部だけに短い結合ピンを圧入すれば良い場合にはこれで済ませることができ、しかも両押出形材に上述したように目立った隙間が生じない。
【図面の簡単な説明】
【図１】
本発明の一実施形態を示す結合押出形材の斜視図である。
【図２】
同実施形態における２つの押出形材同士の結合前の状態を示す正面図である。
【図３】
従来例を示す押出形材の斜視図である。
【符号の説明】
(1) ：    上位の押出形材
(2) ：    上壁
(3) ：    下壁
(4) ：    左壁
(5) ：    嵌合凹部
(6) ：    嵌合雄部
(6a)：    嵌合雄部の先端部
(7) ：    上位の押出形材のピン孔形成用溝
(8) ：    下位の押出形材
(9) ：    嵌合凸部
(11)：    張出し部
(11a) ：  張出し部の先端部
(11b) ：  張出し部の基部
(12)：    嵌合雌部
(13)：    凹弧面
(14)：    下位の押出形材のピン孔形成用溝
(15)：    結合ピン
【手続補正２】
【補正対象書類名】図面
【補正対象項目名】図１
【補正方法】変更
【補正の内容】
【図１】
1999287215.tif 000001